(57)【要約】【課題】高いシールド効果を有するシールド構造を備えたコネクタ組立体を提供すること。【解決手段】本発明のコネクタ組立体は、ケーブルに接続される第１コネクタと、第１方向に沿って第１コネクタと嵌合される第２コネクタとからなる。第１コネクタは、第１内部導体と、第１外部導体と、第１外部導体を保持する第１ハウジングとを備えている。第１ハウジングには溝部が形成され、第１外部導体は溝部内に露出させられた被当接部を備えている。第２コネクタは、第２内部導体と、第１外部導体に接続される第２外部導体と、第２外部導体を保持する第２ハウジングと、第２ハウジングを覆うシールドケースを備えている。シールドケースには、接点部と、バネ部とを有しており、接点部は、コネクタを嵌合した際に第１ハウジングの溝部内に挿入され、第１方向と直交する方向において被当接部に直接当接するような構成としたこと。【選択図】図５
2011060613.tif 000002
【特許請求の範囲】
【請求項１】
信号導体と該信号導体から絶縁されつつ当該信号導体をシールドするためのシールド導体とを有するケーブルに接続される第１コネクタと、第１方向に沿って該第１コネクタと嵌合される第２コネクタとを備えるコネクタ組立体であって、
前記第１コネクタは、前記信号導体に接続される第１内部導体と、該第１内部導体と絶縁されるようにして設けられ前記シールド導体に接続される第１外部導体と、前記第１外部導体を保持する第１ハウジングとを備えており、
前記第１ハウジングには、前記第１方向における端面から前記第１方向に沿って延びる溝部が形成されており、
前記第１外部導体は、前記溝部内に露出させられた被当接部を備えており、
前記第２コネクタは、前記第１内部導体に接続される第２内部導体と、該第２内部導体と絶縁されるようにして設けられ前記第１外部導体に接続される第２外部導体と、該第２外部導体を保持する第２ハウジングと、該第２ハウジングを覆うシールドケースを備えており、
前記シールドケースには、接点部と、該接点部を変位可能となるように弾性的に支持するバネ部とを有しており、
前記バネ部は、主として前記第１方向に沿って延びており、
前記接点部は、前記第１コネクタと前記第２コネクタとを嵌合した際に前記第１ハウジングの前記端面から前記溝部内に挿入され、前記第１方向と直交する第２方向において前記第１外部導体の前記被当接部に直接当接するように前記バネ部に支持されている
コネクタ組立体。
【請求項２】
請求項１記載のコネクタ組立体であって、
前記溝部は、前記第１方向と直交する面内において前記ハウジングの外周側から見えないように形成されている
コネクタ組立体。
【請求項３】
請求項１又は請求項２記載のコネクタ組立体であって、
前記第１ハウジングは、前記第２方向に突出した部位を備えており、
前記溝部は、当該突出した部位の内部を利用して形成されている
コネクタ組立体。
【請求項４】
請求項３記載のコネクタ組立体であって、
前記第１ハウジングには、前記突出した部位として、ロック突起を有するロックアームが設けられており、
前記ロックアームは、前記第１ハウジングの端面から前記第２方向に立ち上がった後に前記第１方向に沿って前記端面から離れる方向へ延びており、
前記第２ハウジングには、前記第１ハウジングの前記端面を前記第１方向に沿って受容する受容部と、前記ロックアームを収容するロックアーム収容部であって前記ロック突起が係止するロック凹部が形成されたロックアーム収容部が形成されており、
前記受容部と前記ロックアーム収容部とは連通している
コネクタ組立体。
【請求項５】
請求項３記載のコネクタ組立体であって、
前記第１ハウジングには、前記突出した部位として、前記第１方向に沿って突条状に延びる位置決めキーが設けられており、
前記第２ハウジングには、前記第１ハウジングの前記端面を前記第１方向に沿って受容する受容部と、前記位置決めキーを収容するキー収容部が形成されており、
前記受容部と前記キー収容部とは連通している
コネクタ組立体。
【請求項６】
請求項１乃至請求項５のいずれかに記載のコネクタ組立体であって、
前記被当接部は、前記第１外部導体の外周上に位置している
コネクタ組立体。
【請求項７】
請求項１乃至請求項５のいずれかに記載のコネクタ組立体であって、
前記第１外部導体は前記溝部の内壁面に沿って設けられた部位が形成されており、
当該部位の内面が前記被当接部として機能する
コネクタ組立体。
【請求項８】
請求項１又は請求項２記載のコネクタ組立体であって、
前記第１外部導体には、係止孔が形成されており、
前記第１ハウジングには、前記外部導体の前記係止孔に係止するランスと、前記端面から前記第１方向に沿って前記ランスまで延びた冶具挿入溝であって冶具を挿入することにより前記ランスの前記係止孔に対する前記係止の解除を可能とする冶具挿入溝とが形成されており、
前記第１外部導体の前記被当接部は前記冶具挿入溝内に露出しており、
前記冶具挿入溝は前記溝部としても機能する
コネクタ組立体。
【請求項９】
請求項１乃至請求項８のいずれかに記載のコネクタ組立体であって、
前記第１外部導体と前記第２外部導体とは、前記第１コネクタと第２コネクタとの嵌合状態において、前記第２外部導体の一部が前記第１外部導体内に挿入され、前記第１外部導体の内周と前記第２外部導体の外周とが接続されるように構成されている
コネクタ組立体。
【請求項１０】
請求項１乃至請求項９のいずれかに記載のコネクタ組立体であって、
前記第１コネクタは、前記第１内部導体を保持する保持部材を更に備えており、
前記保持部材は、前記第１外部導体に保持されている
コネクタ組立体。
【発明の詳細な説明】
【技術分野】
【０００１】
本発明は、第１コネクタと第２コネクタとの２つのコネクタからなり、信号伝達経路をシールドする構造を有するコネクタ組立体に関する。
【背景技術】
【０００２】
この種のコネクタ組立体としては、例えば、特許文献１に開示されたものがある。特許文献１のコネクタ組立体は、ケーブルに接続される第１コネクタ（特許文献１の図５の右側のコネクタ）と、基板及び金属製のケースに取り付けられる第２コネクタ（特許文献１の図５の左側のコネクタ）とを備えている。第１コネクタは、ケーブルの信号導体に接続される第１内部導体と、その第１内部導体の周囲に絶縁体を介して配置された第１外部導体とを備えている。第２コネクタは、第１内部導体に接続される第２内部導体と、第２内部導体を保持する絶縁体と、絶縁体を収容する第２外部導体とを備えている。第２外部導体には、金属製のケースとの接続用の接続用部材が設けられている。
【先行技術文献】
【特許文献】
【０００３】
【特許文献１】特開平１１−４０２７６号公報
【発明の概要】
【発明が解決しようとする課題】
【０００４】
特許文献１のコネクタ組立体では、第１コネクタと第２コネクタとの嵌合時における第１内部導体と第２内部導体との接続部分が第１外部導体と第２外部導体のみによってシールドされていることから、シールド効果が弱いといった問題がある。
【０００５】
特に、第１外部導体と第２外部導体との接続を両者の嵌合のみに頼っていることから、第１外部導体及び／又は第２外部導体のサイズのばらつきや変形などによって、第１外部導体と第２外部導体の接続が適切に図れない恐れがある。この場合、適切なシールド効果が期待できない場合もある。
【０００６】
そこで、本発明は、高いシールド効果を有するシールド構造を備えたコネクタ組立体を提供することを目的とする。
【課題を解決するための手段】
【０００７】
本発明によれば、第１のコネクタ組立体として、信号導体と該信号導体から絶縁されつつ当該信号導体をシールドするためのシールド導体とを有するケーブルに接続される第１コネクタと、第１方向に沿って該第１コネクタと嵌合される第２コネクタとを備えるコネクタ組立体であって、前記第１コネクタは、前記信号導体に接続される第１内部導体と、該第１内部導体と絶縁されるようにして設けられ前記シールド導体に接続される第１外部導体と、前記第１外部導体を保持する第１ハウジングとを備えており、前記第１ハウジングには、前記第１方向における端面から前記第１方向に沿って延びる溝部が形成されており、前記第１外部導体は、前記溝部内に露出させられた被当接部を備えており、前記第２コネクタは、前記第１内部導体に接続される第２内部導体と、該第２内部導体と絶縁されるようにして設けられ前記第１外部導体に接続される第２外部導体と、該第２外部導体を保持する第２ハウジングと、該第２ハウジングを覆うシールドケースを備えており、前記シールドケースには、接点部と、該接点部を変位可能となるように弾性的に支持するバネ部とを有しており、前記バネ部は、主として前記第１方向に沿って延びており、前記接点部は、前記第１コネクタと前記第２コネクタとを嵌合した際に前記第１ハウジングの前記端面から前記溝部内に挿入され、前記第１方向と直交する第２方向において前記第１外部導体の前記被当接部に直接当接するように前記バネ部に支持されているコネクタ組立体が得られる。
【０００８】
また、本発明によれば、第２のコネクタ組立体として、第１のコネクタ組立体であって、前記溝部は、前記第１方向と直交する面内において前記ハウジングの外周側から見えないように形成されているコネクタ組立体が得られる。
【０００９】
また、本発明によれば、第３のコネクタ組立体として、第１又は第２のコネクタ組立体であって、前記第１ハウジングは、前記第２方向に突出した部位を備えており、前記溝部は、当該突出した部位の内部を利用して形成されているコネクタ組立体が得られる。
【００１０】
また、本発明によれば、第４のコネクタ組立体として、第３のコネクタ組立体であって、前記第１ハウジングには、前記突出した部位として、ロック突起を有するロックアームが設けられており、前記ロックアームは、前記第１ハウジングの端面から前記第２方向に立ち上がった後に前記第１方向に沿って前記端面から離れる方向へ延びており、前記第２ハウジングには、前記第１ハウジングの前記端面を前記第１方向に沿って受容する受容部と、前記ロックアームを収容するロックアーム収容部であって前記ロック突起が係止するロック凹部が形成されたロックアーム収容部が形成されており、前記受容部と前記ロックアーム収容部とは連通しているコネクタ組立体が得られる。
【００１１】
また、本発明によれば、第５のコネクタ組立体として、第３のコネクタ組立体であって、前記第１ハウジングには、前記突出した部位として、前記第１方向に沿って突条状に延びる位置決めキーが設けられており、前記第２ハウジングには、前記第１ハウジングの前記端面を前記第１方向に沿って受容する受容部と、前記位置決めキーを収容するキー収容孔が形成されており、前記受容部と前記キー収容部とは連通しているコネクタ組立体が得られる。
【００１２】
また、本発明によれば、第６のコネクタ組立体として、第１乃至第５のいずれかに記載のコネクタ組立体であって、前記被当接部は、前記第１外部導体の外周上に位置している
コネクタ組立体が得られる。
【００１３】
また、本発明によれば、第７のコネクタ組立体として、第１乃至第５のいずれかに記載のコネクタ組立体であって、前記第１外部導体は前記溝部の内壁面に沿って設けられた部位が形成されており、当該部位の内面が前記被当接部として機能するコネクタ組立体が得られる。
【００１４】
また、本発明によれば、第８のコネクタ組立体として、第１又は第２のコネクタ組立体であって、  前記第１外部導体には、係止孔が形成されており、前記第１ハウジングには、前記外部導体の前記係止孔に係止するランスと、前記端面から前記第１方向に沿って前記ランスまで延びた冶具挿入溝であって冶具を挿入することにより前記ランスの前記係止孔に対する前記係止の解除を可能とする冶具挿入溝とが形成されており、前記第１外部導体の前記被当接部は前記冶具挿入溝内に露出しており、前記冶具挿入溝は前記溝部としても機能するコネクタ組立体が得られる。
【００１５】
また、本発明によれば、第９のコネクタ組立体として、第１乃至第８のいずれかに記載のコネクタ組立体であって、前記第１外部導体と前記第２外部導体とは、前記第１コネクタと第２コネクタとの嵌合状態において、前記第２外部導体の一部が前記第１外部導体内に挿入され、前記第１外部導体の内周と前記第２外部導体の外周とが接続されるように構成されているコネクタ組立体が得られる。
【００１６】
また、本発明によれば、第１０のコネクタ組立体として、第１乃至第９のいずれかに記載のコネクタ組立体であって、前記第１コネクタは、前記第１内部導体を保持する保持部材を更に備えており、前記保持部材は、前記第１外部導体に保持されているコネクタ組立体が得られる。
【発明の効果】
【００１７】
本発明によるコネクタ組立体は、第１外部導体と第２外部導体とによるシールド構造と、第１外部導体とシールドケースとの組み合わせによるシールド構造とからなる二重のシールド構造を備えている。従って、本発明によるコネクタ組立体は、高いシールド効果を有している。
【００１８】
また、バネ部によって弾性支持された接点部を第１外部導体の被当接部に当接させることにより、第１外部導体とシールドケースとの接続を行っていることから、両者間においては高い接触信頼性を実現できる。
【００１９】
更には、シールドケース側の接点部と第１外部導体との接触を第１コネクタの第１ハウジングに設けられた溝部内において行うこととしたため、サイズを大きくすることなく且つ第１ハウジングの強度を損ねることなくシールドケースと第１外部導体との接続を図ることができる。
【図面の簡単な説明】
【００２０】
【図１】本発明の第１の実施の形態による第１コネクタを表わす斜視図である。
【図２】図１の第１コネクタのＩＩ−ＩＩ断面図である。
【図３】本発明の第１の実施の形態による第２コネクタを表わす斜視図である。
【図４】図３の第２コネクタのＩＶ−ＩＶ断面図である。
【図５】図２に示される第１コネクタ及び図４に示される第２コネクタの嵌合状態を表わす断面図である。
【図６】本発明の第２の実施の形態による第１コネクタ及び第２コネクタの嵌合状態を示す断面図である。
【図７】本発明の第３の実施の形態による第１コネクタを表わす斜視図である。
【図８】図７の第１コネクタのＶＩＩＩ−ＶＩＩＩ断面図である。
【図９】図７の第１コネクタのＩＸ−ＩＸ断面図である。
【図１０】本発明の第３の実施の形態による第２コネクタを表わす斜視図である。
【図１１】図１０に示される第２コネクタのＸＩ−ＸＩ断面図である。
【図１２】図７に示される第１コネクタ及び図１０に示される第２コネクタの嵌合状態を表わす断面図である。
【図１３】本発明の第４の実施の形態による第１コネクタを表わす斜視図である。
【図１４】図１３の第１コネクタのＸＩＶ−ＸＩＶ断面図である。
【図１５】本発明の第４の実施の形態による第２コネクタを表わす断面図である。
【図１６】図１４に示される第１コネクタ及び図１５に示される第２コネクタの嵌合状態を表わす断面図である。
【発明を実施するための形態】
【００２１】
（第１の実施の形態）
図１乃至図５に示されるように、本発明の実施の形態によるコネクタ組立体は、第１コネクタ１００及び第２コネクタ２００とで構成されるものである。第１コネクタ１００及び第２コネクタ２００はＸ方向（第１方向）において互いに嵌合する。第１コネクタ１００にはケーブル３００が接続され、第２コネクタ２００は図示しない基板に搭載される。ケーブル３００は、信号導体３１０、シールド導体３２０及び絶縁体３３０を有している。なお、信号導体３１０とシールド導体３２０とは、絶縁体３３０によって電気的に絶縁されている。
【００２２】
図１及び図２に示されるように、第１コネクタ１００は、内部導体（第１内部導体）１１０と、外部導体（第１外部導体）１２０と、絶縁体（保持部材）１３０と、ハウジング（第１ハウジング）１４０とを備えている。
【００２３】
内部導体１１０は断面が略四角形であり、Ｘ方向に延びる筒状の形状を有している。内部導体１１０のケーブル側端部には、ケーブル３００の信号導体３１０が挿入される。一方、内部導体１１０の第２コネクタ２００側端部には、第２コネクタ２００の内部導体２１０（後述）が挿入される。
【００２４】
絶縁体１３０は、小径部１３１と、当該小径部１３１よりも径の大きい大径部１３２とからなるものである。絶縁体１３０には、内部導体１１０が挿入されており、当該内部導体１１０を保持している。なお、小径部１３１は、大径部１３２よりも前方に位置している。
【００２５】
外部導体１２０は、内部導体１１０と同様に、断面が略四角形であり、Ｘ方向に延びる筒状の形状を有している。本実施の形態において、外部導体１２０には、後方からケーブル３００が挿入され、ケーブル３００は外部導体１２０の内周部１２１ａがケーブル３００のシールド導体３２０と接触することで両者が電気的に接続されるように保持される。また、絶縁体１３０は、外部導体１２０の内周部１２１ａと絶縁体１３０の大径部１３２が接触するように保持される。なお、絶縁体１３０の小径部１３１と、外部導体１２０との間の空間は、後述する収容部１２２として機能する。また、内部導体１１０と、外部導体１２０とは、絶縁体１３０によって電気的に絶縁されている。本実施の形態による外部導体１２０は、第２コネクタ２００側の外周部１２１ｂに被当接部１２４を有している。
【００２６】
ハウジング１４０は、外部導体１２０を保持するものであり、ロックアーム１５０と溝部１４４とを備えている。ロックアーム１５０は、ハウジング１４０の上面１４１に位置し、ハウジング１４０の第２コネクタ側端面１４２からＺ方向（第２方向）に立ち上がる支持部１５２と、支持部１５２からＸ方向に延びる操作部１５３とを備えている。操作部１５３には、Ｚ方向に突出するロック突起１５４が形成されている。溝部１４４は、ハウジング１４０の端面１４２からＸ方向に沿って延びている。本実施の形態における溝部１４４は、ロックアーム１５０の支持部１５２の一部をＸ方向に凹ませたものである。換言すると、溝部１４４は、支持部１５２の内部を利用して形成されたものである。ここで、外部導体１２０の被当接部１２４は、ハウジング１４０の溝部１４４内に位置している。図１及び図２から理解されるように、コネクタ１００を前方から見た場合、溝部１４４の開口部を通して被当接部１２４を見ることができる。一方、コネクタ１００をＹ方向から見た場合、被当接部１２４は、ハウジング１４０や、ロックアーム１５０の支持部１５２に覆われており、見ることができない。換言すると、Ｘ方向と直交するＹＺ平面内においてハウジング１４０の外周側からは、被当接部１２４が見えないように形成されている。
【００２７】
図３及び図４に示されるように、第２コネクタ２００は、内部導体（第２内部導体）２１０と、外部導体（第２外部導体）２２０と、絶縁体２３０と、ハウジング２４０（第２ハウジング）と、シールドケース２５０とを備えている。
【００２８】
内部導体２１０は、Ｘ方向に沿って延びる部位及びＺ方向に沿って延びる部位から構成される略Ｌ字形状のピンである。Ｘ方向に沿って延びる部位の端部には、第１コネクタ１００の内部導体１１０と接続される接触部２１１を有しており、Ｚ方向に延びる部位の端部には、基板（図示せず）の回路と電気的に接続される端子部２１２を有している。
【００２９】
絶縁体２３０は、側面２３１及び奥部２３２を有しており、その内部は第１コネクタ１００の絶縁体１３０の小径部１３１を収容するための収容部２３３となっている。内部導体２１０は、絶縁体の奥部２３２を貫通するようにして保持されている。
【００３０】
外部導体２２０は、断面が略四角形であり、Ｘ方向に延びる筒状の形状を有している。また、絶縁体２３０は、外部導体２２０内に保持されている。なお、内部導体２１０と、外部導体２２０とは、絶縁体２３０によって電気的に絶縁されている。外部導体２２０には、内部導体２１０のＺ方向に延びる部位を通すための切欠部２２２が形成されている。なお、当該部位と外部導体２２０とは接触しておらず、電気的に絶縁されている。本実施の形態において、上述した第１コネクタ１００の収容部１２２（図２参照）には、第２コネクタ２００の絶縁体２３０及び外部導体２２０が収容される。
【００３１】
ハウジング２４０は、外部導体２２０を保持するためのものであり、受容部２４１と、当該受容部２４１と連通しているロックアーム収容部２４２とを備えている。受容部２４１は第１コネクタ１００の端面１４２を含む前端部を受容すると共に、ロックアーム収容部２４２はロックアーム１５０を収容する。ハウジング２４０の上部には、ロックアーム１５０のロック突起１５４が係止するロック凹部２４３が設けられている。また、ハウジング２４０は、外部導体２２０を内部に保持するための保持孔２４４を有しており、外部導体２２０は、当該保持孔２４４に挿入され保持される。更に、ハウジング２４０は、ハウジング２４０の後端から受容部２４１に貫通するように設けられた貫通孔２４５が形成されている。なお、ハウジング２４０には、内部導体２１０のＺ方向に延びる部位を通すための凹み２４７が設けられている。
【００３２】
シールドケース２５０は、ハウジング２４０を覆っている。シールドケース２５０の後側面２５３の一部は、第１コネクタ１００の方へ向けて折曲げられており、ハウジング２４０の貫通孔２４５に通されている。ここで、後側面２５３の一部は、貫通孔２４５内に位置するバネ部２５５及び接点部２５６から構成される。接点部２５６は、下向きに湾曲するように形成されており、外部導体２２０とは接していない。また、接点部２５６は、図４に示される初期状態を保つようにバネ部２５５により弾性支持されている。本実施の形態において、ハウジング２４０の貫通孔２４５は、Ｚ方向においてバネ部２５５が若干動くことができるようにその径が定められている。また、シールドケース２５０は基板のグランドに接続されるグランド接続端子２５４を有している。
【００３３】
図５から理解されるように、ロック突起１５４はロック凹部２４３と係止する。かかる状態においては、第１コネクタ１００を第２コネクタ２００から抜去しようとしてもロック突起１５４の端面１５５がロック凹部２４３と接触するため、抜去ができず、嵌合状態がロックされる。なお、抜去する場合には、ロックアーム１５０の操作部１５３をＺ方向に沿って操作し、ロック突起１５４をロック凹部２４３から移動させた後に抜去すればよい。一方、図２、４及び５に示されるように、本実施の形態による第１コネクタ１００及び第２コネクタ２００の嵌合時において、第１コネクタ１００の内部導体１１０と第２コネクタ２００の内部導体２１０とは電気的に接続される。同時に、第１コネクタ１００の外部導体１２０と第２コネクタ２００の外部導体２２０も、電気的に接続される。本実施の形態において、シールドケース２５０の接点部２５６は第１コネクタ１００の溝部１４４内に位置し、外部導体１２０に設けられた被当接部１２４に当接している。かかる構造により、第１コネクタの外部導体１２０は、シールドケース２５０を介して、グランドに接続される。このように、本実施の形態によるコネクタ組立体においては、第１コネクタ１００の外部導体１２０と第２コネクタ２００の外部導体２２０によるシールド構造と、第１コネクタ１００の外部導体１２０とシールドケース２５０との組み合わせによるシールド構造とからなる二重のシールド構造を備えている。これにより、高いシールド効果を得ることができる。加えて、接点部２５６は、Ｚ方向、即ち、第１コネクタ１００の被当接部１２４に向けて付勢される。このように、バネ部２５５によって弾性支持された接点部２５６を第１コネクタ１００の外部導体１２０に当接させ、外部導体１２０とシールドケース２５０との接続を行っていることから、両者間においては高い接触信頼性を実現できる。更に、かかる接続を行うための溝部１４４をロックアーム１５０の支持部１５２の内部に設けることとしたため、溝部１４４を新たに設ける必要がなくコネクタの省スペース化を図ることができる。
【００３４】
（第２の実施の形態）
図６に示されるように、本発明の第２の実施の形態によるコネクタ組立体は、上述した第１の実施の形態によるコネクタ組立体とほぼ同様の構成を有している。従って、本実施の形態における要素のうち、第１の実施の形態のものと同一のものについては、同一の参照符号を付し、その説明を省略することとする。
【００３５】
本実施の形態によるコネクタ組立体は、第１コネクタ１００ａの被当接部１２４ａと第２コネクタ２００ａの接点部２５６ａとの当接する方向が、第１の実施の形態のものとはＺ方向において、逆向きになっている。詳しくは、第１コネクタ１００ａの外部導体１２０ａは、溝部１４４ａの奥面に沿うようにしてＺ方向に折り曲げられた側面部１２６ａ及び溝部１４４ａの上側の内側面に沿うように形成された上面部１２６ｂを備えている。本実施の形態による被当接部１２４ａは、上面部１２６ｂに設けられている。一方、第２コネクタ２００ａのシールドケース２５０ａは、バネ部２５５ａと、上側に湾曲した接点部２５６ａとを備えている。図６から理解されるように、嵌合時において、第１コネクタ１００ａの被当接部１２４ａには、第２コネクタ２００ａの接点部２５６ａが上方に向けて当接することとなる。
【００３６】
本実施の形態によるコネクタ組立体についても、第１の実施の形態によるコネクタ組立体と同様に、二重のシールド構造による高いシールド効果と、外部導体１２０ａとシールドケース２５０ａとの間における高い接触信頼性を得ることができる。加えて、元々備えているロックアーム１５０の支持部１５２に溝部１４４ａを形成したため、コネクタの省スペース化を図ることができる。
【００３７】
（第３の実施の形態）
図７乃至図１２に示されるように、本発明の第３の実施の形態によるコネクタ組立体も、上述した第１の実施の形態によるコネクタ組立とほぼ同様の構成を有している。従って、本実施の形態における要素のうち、第１の実施の形態のものと同一のものについては、同一の参照符号を付し、その説明を省略することとする。
【００３８】
本実施の形態における第１コネクタ１００ｂは、嵌合時に第１コネクタ１００ｂを位置決めするためのキー１４６を２つ備えている。図７によく示されるように、キー１４６は、ハウジング１４０ｂの上面１４１ｂに設けられている。キー１４６は、Ｚ方向において凸状であり、Ｘ方向に延びるように形成されている。図７及び図８から理解されるように、溝部１４４ｂは、キー１４６の一部に形成されている。なお、溝部１４４ｂの構造は、第１の実施の形態による溝部１４４（図２参照）と同様である。即ち、溝部１４４ｂは、ハウジング１４０ｂの端面１４２ｂからＸ方向に沿って延びている。詳しくは、本実施の形態における溝部１４４ｂは、キー１４６の一部をＸ方向に凹ませたものである。換言すると、溝部１４４ｂはキー１４６の内部を利用して形成されたものである。ここで、本実施の形態においても、外部導体１２０ｂの被当接部１２４ｂは、ハウジング１４０ｂの溝部１４４ｂ内に位置している。これにより、図７及び図８から理解されるように、第１コネクタ１００ｂを前方（第２コネクタ２００ｂ側）から見た場合、溝部１４４ｂの開口部を通して被当接部１２４ｂを見ることができる。一方、第１コネクタ１００ｂをＹ方向から見た場合、被当接部１２４ｂは、ハウジング１４０ｂや、キー１４６に覆われており、見ることができない。換言すると、Ｘ方向と直交するＹＺ平面内においてハウジング１４０ｂの外周側からは、被当接部１２４ｂは見えないように形成されている。
【００３９】
図１０及び図１１に示されるように、本実施の形態による第２コネクタ２００ｂは、キー１４６が収容されるキー収容部２４２ｂを２つ備えている。本実施の形態におけるシールドケース２５０ｂには、バネ部２５５ｂ及び接点部２５６ｂが夫々２つ設けられており、各キー収容部２４２ｂに対応するように配置されている。図１２に示されるように、嵌合時においては、第１の実施の形態と同様に、第１コネクタ１００ｂの外部導体１２０ｂと第２コネクタ２００ｂの外部導体２２０とは電気的に接続され、接点部２５６ｂは第１コネクタ１００ｂの溝部１４４ｂ内に位置し被当接部１２４ｂに当接する。
【００４０】
本実施の形態によるコネクタ組立体についても、第１の実施の形態によるコネクタ組立体と同様に、二重のシールド構造による高いシールド効果と、外部導体１２０ｂとシールドケース２５０ｂとの間における高い接触信頼性を得ることができる。加えて、元々備えているキー１４６の内部に溝部１４４ｂを設けることとしたため、コネクタの省スペース化を図ることができる。
【００４１】
（第４の実施の形態）
図１３乃至図１６に示されるように、本発明の第４の実施の形態によるコネクタ組立体は、上述した第１の実施の形態によるコネクタ組立体とほぼ同様の構成を有している。従って、本実施の形態における要素のうち、第１の実施の形態のものと同一のものについては、同一の参照符号を付し、その説明を省略することとする。
【００４２】
第１コネクタ１００ｃの外部導体１２０ｃはランス係止孔１２５を有している。ハウジング１４０ｃは、ランス１６０と、冶具挿入溝１６１を備えている。ランス１６０は、Ｘ方向と直交する面を持つ当接部１６２と、第１コネクタ１００ｃの前方に延びている解除突部１６４を備えている。本実施の形態において、外部導体１２０ｃのランス係止孔１２５に、ハウジング１４０ｃのランス１６０が係合することにより外部導体１２０ｃとハウジング１４０ｃは互いに固定される。詳しくは、第１コネクタ１００ｃの組立過程において、ランス１６０がランス係止孔１２５に係合するまでハウジング１４０ｃの後方から外部導体１２０ｃを挿入する。これにより、外部導体１２０ｃが後方に引っ張られたとしても、ランス１６０の当接部１６２がランス係止孔１２５の側面に当接し、ハウジング１４０ｃから抜け落ちてしまうことが防止される。なお、外部導体１２０ｃをハウジング１４０ｃから取り外す場合には、第１コネクタ１００ｃの前方から冶具（図示せず）を冶具挿入溝１６１に挿入し、解除突部１６４を下方に移動させ、当接部１６２が係止孔１２５の外へ移動するようにランス１６０を変形させる。この状態で外部導体１２０ｃを後方に引き抜くことができる。
【００４３】
本実施の形態による冶具挿入溝１６１は、溝部１４４ｃとしても機能する。換言すると、溝部１４４ｃは、冶具挿入溝１６１を利用して形成されている。詳しくは、図１４に示されるように、本実施の形態によるハウジング１４０ｃは、外部導体１２０ｃが冶具挿入溝１６１内に露出するように構成されている。本実施の形態における被当接部１２４ｃは、当該露出している外部導体１２０ｃの一部に設けられている。
【００４４】
図１５に示されるように、本実施の形態による第２コネクタ２００ｃは、ハウジング２４０ｃ及びシールドケース２５０ｃの構造が第１の実施の形態による第２コネクタ２００（図３及び図４参照）に比べて若干異なっている。詳しくは、本実施の形態によるハウジング２４０ｃは、貫通孔２４５ｃをハウジング２４０ｃの下部に備えている。シールドケース２５０ｃは、ハウジング２４０ｃの貫通孔２４５ｃにバネ部２５５ｃが位置すると共に接点部２５６ｃが受容部２４１内に位置するように形成されている。
【００４５】
図１６に示されるように、嵌合時においては、第１の実施の形態と同様に、コネクタ１００ｃの外部導体１２０ｃとコネクタ２００ｃの外部導体２２０ｃとは電気的に接続され、接点部２５６ｃは第１コネクタ１００ｃの溝部１４４ｃ内に位置し被当接部１２４ｃに当接している。
【００４６】
本実施の形態によるコネクタ組立体についても、第１の実施の形態によるコネクタ組立体と同様に、二重のシールド構造による高いシールド効果と、外部導体１２０ｃとシールドケース２５０ｃとの間における高い接触信頼性を得ることができる。加えて、元々備えている冶具挿入溝１６１を溝部１４４としても利用することとしたため、コネクタの省スペース化を図ることができる。
【産業上の利用可能性】
【００４７】
本発明は、車載用のコネクタ組立体や電子機器用のコネクタ組立体に適用可能である。
【符号の説明】
【００４８】
１００、１００ａ、１００ｂ、１００ｃ    第１コネクタ
１１０    内部導体（第１内部導体）
１１１    ソケット部
１１２    操作部
１２０、１２０ａ、１２０ｂ、１２０ｃ    外部導体（第１外部導体）
１２１ａ    内周部
１２１ｂ    外周部
１２２    収容部
１２３    ケーブル保持部
１２４、１２４ａ、１２４ｂ、１２４ｃ    被当接部
１２５    ランス係止孔
１２６ａ    側面部
１２６ｂ    上面部
１３０    絶縁体（保持部材）
１３１    小径部
１３２    大径部
１４０、１４０ａ、１４０ｂ、１４０ｃ    ハウジング（第１ハウジング）
１４１、１４１ａ、１４１ｂ    上面
１４２、１４２ａ、１４２ｂ、１４２ｃ    端面
１４４、１４４ａ、１４４ｂ、１４４ｃ    溝部
１４６    キー
１５０    ロックアーム
１５２    支持部
１５３    操作部
１５４    ロック突起
１５５    端面
１６０    ランス
１６１    冶具挿入溝
１６２    当接部
１６４    解除突部
２００、２００ａ、２００ｂ、２００ｃ    第２コネクタ
２１０    内部導体（第２内部導体）
２１１    接触部
２１２    端子部
２２０    外部導体（第２外部導体）
２２１ａ    内周部
２２１ｂ    外周部
２２２    切欠部
２２４    係止孔
２３０    絶縁体
２３１    側面
２３２    奥部
２３３    収容部
２４０、２４０ａ、２４０ｂ、２４０ｃ    ハウジング（第２ハウジング）
２４１    受容部
２４２、２４２ａ    ロックアーム収容部
２４２ｂ    キー収容部
２４３    ロック凹部
２４４    保持孔
２４５    貫通孔
２４６    端面
２４７    凹み
２５０、２５０ａ、２５０ｂ、２５０ｃ    シールドケース
２５１    上面
２５３    後側面
２５４    端子部
２５５、２５５ａ、２５５ｂ、２５５ｃ    バネ部
２５６、２５６ａ、２５６ｂ、２５６ｃ    接点部
３００    ケーブル
３１０    信号導体
３２０    シールド導体
３３０    絶縁部
【図１】
2011060613.tif 000003
【図２】
2011060613.tif 000004
【図３】
2011060613.tif 000005
【図４】
2011060613.tif 000006
【図５】
2011060613.tif 000007
【図６】
2011060613.tif 000008
【図７】
2011060613.tif 000009
【図８】
2011060613.tif 000010
【図９】
2011060613.tif 000011
【図１０】
2011060613.tif 000012
【図１１】
2011060613.tif 000013
【図１２】
2011060613.tif 000014
【図１３】
2011060613.tif 000015
【図１４】
2011060613.tif 000016
【図１５】
2011060613.tif 000017
【図１６】
2011060613.tif 000018